【手続補正書】
【提出日】平成20年7月29日(2008.7.29)
【手続補正１】
【補正対象書類名】特許請求の範囲
【補正対象項目名】全文
【補正方法】変更
【補正の内容】
【特許請求の範囲】
【請求項１】
少なくとも１種の塩素化カルボキシル化ポリオレフィンと少なくとも１種の多官能価アルコールとの反応生成物を含んでなる多官能価アルコール変性塩素化カルボキシル化ポリオレフィン。
【請求項２】
前記塩素化カルボキシル化ポリオレフィンがエチレン及び炭素数３〜１０のα−オレフィンから製造されたエチレンコポリマー；ポリプロピレン；エチレン又は炭素数４〜１０のα−オレフィンを含むプロピレンコポリマー；ポリ（１−ブテン）；エチレン及び／又は炭素数４〜１０のα−オレフィンから製造されたプロピレンターポリマー；並びに１−ブテン及びエチレン又は炭素数３〜１０のα−オレフィンから製造された１−ブテンコポリマーからなる群から選ばれた少なくとも１種のポリオレフィンポリマーと、不飽和カルボン酸エステル、不飽和カルボン酸、不飽和カルボン酸無水物、ビニルモノマー並びにアクリルモノマーからなる群から選ばれた少なくとも１種のモノマーと、塩素との反応生成物である請求項１に記載の多官能価アルコール変性塩素化カルボキシル化ポリオレフィン。
【請求項３】
前記の少なくとも１種のモノマーが無水マレイン酸、シトラコン酸無水物、イタコン酸無水物、グルタコン酸無水物、２，３−ジメチルマレイン酸無水物、マレイン酸、フマル酸、シトラコン酸、メサコン酸、グルタコン酸、アクリル酸、メタクリル酸、クロトン酸、２−ペンテン酸、２−メチル−２−ペンテン酸、マレイン酸ジメチル、マレイン酸ジエチル、マレイン酸ジ−ｎ−プロピル、マレイン酸ジイソプロピル、フマル酸ジメチル、フマル酸ジエチル、フマル酸ジ−ｎ−プロピル、フマル酸ジイソプロピル、イタコン酸ジメチル及びそれらの混合物からなる群から選ばれた少なくとも１員を含む請求項２に記載の多官能価アルコール変性塩素化カルボキシル化ポリオレフィン。
【請求項４】
前記の少なくとも１種のモノマーの重量が、ポリオレフィンポリマーの重量に基づき、１〜２５重量％の範囲である請求項２に記載の多官能価アルコール変性塩素化カルボキシル化ポリオレフィン。
【請求項５】
前記の少なくとも１種のモノマーの重量が、ポリオレフィンポリマーの重量に基づき、２〜２０重量％の範囲である請求項２に記載の多官能価アルコール変性塩素化カルボキシル化ポリオレフィン。
【請求項６】
前記の少なくとも１種のモノマーの重量が、ポリオレフィンポリマーの重量に基づき、４〜１８重量％の範囲である請求項２に記載の多官能価アルコール変性塩素化カルボキシル化ポリオレフィン。
【請求項７】
前記塩素化カルボキシル化ポリオレフィンが、前記塩素化カルボキシル化ポリオレフィンの重量に基づき、１〜４０重量％の塩素含量を有する請求項１に記載の多官能価アルコール変性塩素化カルボキシル化ポリオレフィン。
【請求項８】
前記塩素化カルボキシル化ポリオレフィンが、前記塩素化カルボキシル化ポリオレフィンの重量に基づき、５〜３５重量％の塩素含量を有する請求項１に記載の多官能価アルコール変性塩素化カルボキシル化ポリオレフィン。
【請求項９】
前記の少なくとも１種の多官能価アルコールがエチレングリコール、トリメチロールエタン、ペンタエリスリトール、トリメチロールプロパン、１，６−ヘキサンジオール、１，４−シクロヘキサンジオール、１，４−シクロヘキサンジメタノール、ジエチレングリコール、トリエチレングリコール、ポリエチレングリコール、グリセロール、ポリエステルポリオール、アクリルポリオール、スチレンポリオール、スチレン−アクリルポリオール、ポリウレタンポリオール、グルコース及びスクロースからなる群から選ばれた少なくとも１員を含む請求項１に記載の多官能価アルコール変性塩素化カルボキシル化ポリオレフィン。
【請求項１０】
前記多官能価アルコールが１つの一級ヒドロキシル基及び１つの二級又は三級ヒドロキシル基を含む請求項１に記載の多官能価アルコール変性塩素化カルボキシル化ポリオレフィン。
【請求項１１】
前記多官能価アルコールが２−エチル−１，３−ヘキサンジオール、２，２，４−トリメチル−１，３−ペンタンジオール及び１，２−プロピレングリコールからなる群から選ばれた少なくとも１員である請求項１０に記載の多官能価アルコール変性塩素化カルボキシル化ポリオレフィン。
【請求項１２】
前記多官能価アルコールが２つのアルキル基を含む炭素によって隔てられた２つの一級ヒドロキシル基を含む請求項１に記載の多官能価アルコール変性塩素化カルボキシル化ポリオレフィン。
【請求項１３】
前記多官能価アルコールが２，２−ジエチル−１，３−プロパンジオール、２，２−ジブチル−１，３−プロパンジオール、２−メチル−１−プロピル−１，３−プロパンジオール、２−ブチル−２−エチル−１，３−プロパンジオール及びネオペンチルグリコールからなる群から選ばれた少なくとも１員である請求項１２に記載の多官能価アルコール変性塩素化カルボキシル化ポリオレフィン。
【請求項１４】
前記多官能価アルコールが、ヒドロキシル基に比較して、塩素化カルボキシル化ポリオレフィンと優先的に反応することができる１つの非ヒドロキシル官能基と１つのヒドロキシル基を含む請求項１に記載の多官能価アルコール変性塩素化カルボキシル化ポリオレフィン。
【請求項１５】
前記多官能価アルコールがエタノールアミン、２−アミノ−１−プロパノール、２−アミノ−２−メチル−１−プロパノール、トリス（ヒドロキシメチル）メチルアミン及び２，２−ジメチル−３−アミノ−１−プロパノールからなる群から選ばれた少なくとも１員である請求項１４に記載の多官能価アルコール変性塩素化カルボキシル化ポリオレフィン。
【請求項１６】
少なくとも１種の塩素化カルボキシル化ポリオレフィンと少なくとも１種の多官能価アルコールとを接触させることを含んでなる多官能価アルコール変性塩素化カルボキシル化ポリオレフィンの製造方法。
【請求項１７】
前記塩素化カルボキシル化ポリオレフィンを、最初にポリオレフィンを不飽和カルボン酸エステル、不飽和カルボン酸、不飽和カルボン酸無水物、ビニルモノマー及びアクリルモノマーからなる群から選ばれた少なくとも１種のモノマーと接触させてカルボキシル化ポリオレフィンを生成させ、次いで前記カルボキシル化ポリオレフィンを少なくとも１種の塩素化剤と接触させて塩素化カルボキシル化ポリオレフィンを生成させることによって、製造する請求項１６に記載の方法。
【請求項１８】
前記カルボキシル化ポリオレフィンを溶液法又は押出法によって製造する請求項１６に記載の方法。
【請求項１９】
カルボキシル化のための溶液法において使用する溶媒を、次の塩素化に使用する請求項１８に記載の方法。
【請求項２０】
カルボキシル化のための溶液法とは異なる溶媒を塩素化に用いる請求項１８に記載の方法。
【請求項２１】
前記押出法において製造される前記カルボキシル化ポリオレフィンを、次の塩素化のための少なくとも１種の溶媒中に溶解させて、塩素化カルボキシル化ポリオレフィンを生成させる請求項１８に記載の方法。
【請求項２２】
前記塩素化カルボキシル化ポリオレフィンを、最初にポリオレフィンを少なくとも１種の塩素化剤と接触させて塩素化ポリオレフィンを生成させ、次いで前記塩素化ポリオレフィンを不飽和カルボン酸エステル、不飽和カルボン酸、不飽和カルボン酸無水物、ビニルモノマー及びアクリルモノマーからなる群から選ばれた少なくとも１種のモノマーと接触させて塩素化カルボキシル化ポリオレフィンを生成させることによって製造する請求項１６に記載の方法。
【請求項２３】
前記塩素化ポリオレフィンを溶液法で前記モノマーと接触させて、前記塩素化カルボキシル化ポリオレフィンを生成させる請求項２１に記載の方法。
【請求項２４】
塩素化のための溶液法に使用する溶媒を、次のカルボキシル化に使用する請求項２３に記載の方法。
【請求項２５】
カルボキシル化のための溶液法とは異なる溶媒を塩素化に用いる請求項２３に記載の方法。
【請求項２６】
前記塩素化カルボキシル化ポリオレフィンと前記多官能価アルコールとの前記接触を溶媒の存在下で実施する請求項１６に記載の方法。
【請求項２７】
前記接触を１０〜２００℃の範囲の温度で実施する請求項２６に記載の方法。
【請求項２８】
前記溶媒が前記塩素化カルボキシル化ポリオレフィンの製造に使用するのと同じである請求項２６に記載の方法。
【請求項２９】
前記溶媒が前記塩素化カルボキシル化ポリオレフィンの製造に使用する溶媒とは異なる請求項２６に記載の方法。
【請求項３０】
前記塩素化カルボキシル化ポリオレフィンと前記多官能価アルコールとの反応に触媒を使用する請求項１６に記載の方法。
【請求項３１】
前記触媒がアルキル又はアルールアルキルスルホン酸である請求項３０に記載の方法。
【請求項３２】
過剰の多官能価アルコールを用いて対応するジエステルを生成させる請求項１６に記載の方法。
【請求項３３】
請求項１に記載の多官能価アルコール変性塩素化カルボキシル化ポリオレフィン及び溶剤を含んでなる溶剤系プライマー組成物。
【請求項３４】
前記溶剤がエステル溶剤、ケトン溶剤、脂肪族溶剤、芳香族溶剤及びそれらの混合物からなる群から選ばれた１員を含む請求項３３に記載の溶剤系プライマー組成物。
【請求項３５】
アミン又は無機塩基と請求項１に記載の多官能価アルコール変性塩素化カルボキシル化ポリオレフィンとの反応生成物；水；及び、場合によっては、界面活性剤を含んでなる水系プライマー組成物。
【請求項３６】
前記界面活性剤が存在し且つ非イオン性界面活性剤である請求項３５に記載の水系プライマー組成物。
【請求項３７】
前記アミンが脂肪族アミンである請求項３６に記載の水系プライマー組成物。
【請求項３８】
前記アミンがアンモニア、水酸化アンモニウム、トリエチルアミン、ジエチルアミン、モノイソプロパノールアミン、モルホリン、エタノールアミン、ジエタノールアミン、トリエタノールアミン、Ｎ，Ｎ−ジメチルエタノールアミン、Ｎ，Ｎ−ジエチルエタノールアミン、２−アミノ−２−メチル−１−プロパノール及びＮ−メチルジエタノールアミンからなる群から選ばれた少なくとも１員である請求項３７に記載の水系プライマー組成物。
【請求項３９】
少なくとも１種の被覆用樹脂；請求項１に記載の多官能価アルコール変性塩素化カルボキシル化ポリオレフィン；更に、場合によっては、レベリング剤、レオロジー剤及び流量調整剤；会合性増粘剤、艶消し剤、顔料湿潤及び分散剤、界面活性剤、紫外線吸収剤、紫外線安定剤、色味付け顔料、脱泡剤、消泡剤、沈澱防止剤、垂れ防止剤、粘度付与剤、皮張り防止剤；浮き色防止剤、色別れ防止剤、殺真菌剤、カビ駆除剤、腐蝕防止剤、増粘剤並びに融合助剤からなる群から選ばれた１種又はそれ以上の添加剤を含んでなるプライマー組成物。
【請求項４０】
少なくとも１種の顔料を更に含む請求項３９に記載のプライマー組成物。
【請求項４１】
前記被覆用樹脂がポリエステル、アルキド樹脂、アクリル樹脂、アクリル変性アルキド樹脂、スチレン−アクリル樹脂、ウレタン樹脂及びエポキシ樹脂からなる群から選ばれる請求項３９に記載のプライマー組成物。
【請求項４２】
請求項３３に記載の溶剤系プライマー組成物を含むプライマー被覆が、更に場合によっては被覆組成物を含むペイントトップコートが表面に被覆された造形品又は二次成形品基材を含んでなる製品。
【請求項４３】
前記被覆組成物がポリエステル、アルキド樹脂、アクリル樹脂、アクリル変性アルキド樹脂、スチレン−アクリル樹脂、ウレタン樹脂及びエポキシ樹脂からなる群から選ばれた少なくとも１種の被覆用樹脂を含む請求項４２に記載の製品。
【請求項４４】
前記製品基材が金属又はプラスチックを含む請求項４２に記載の製品。
【請求項４５】
請求項３５に記載の水系プライマー組成物を含むプライマー被覆が、更に場合によっては被覆組成物を含むペイントトップコートが表面に被覆された造形品又は二次成形品基材を含む製品。
【請求項４６】
前記被覆組成物がポリエステル、アルキド樹脂、アクリル樹脂、アクリル変性アルキド樹脂、スチレン−アクリル樹脂、ウレタン樹脂及びエポキシ樹脂からなる群から選ばれた少なくとも１種の被覆用樹脂を含む請求項４５に記載の製品。
【請求項４７】
前記製品基材が金属又はプラスチックである請求項４６に記載の製品。
【請求項４８】
請求項３９に記載のプライマー組成物を含むプライマー被覆が、更に場合によっては、被覆組成物を含むペイントトップコートが表面に被覆された造形品又は二次成形品基材を含んでなる製品。
【請求項４９】
前記被覆組成物がポリエステル、アルキド樹脂、アクリル樹脂、アクリル変性アルキド樹脂、スチレン−アクリル樹脂、ウレタン樹脂及びエポキシ樹脂からなる群から選ばれた少なくとも１種の被覆用樹脂を含む請求項４８に記載の製品。
【請求項５０】
前記製品基材が金属又はプラスチックを含む請求項４９に記載の製造品。
【請求項５１】
接着剤及び請求項１に記載の多官能価アルコール変性塩素化カルボキシル化ポリオレフィンを含んでなる接着剤組成物。
【請求項５２】
インキ組成物及び請求項１に記載の多官能価アルコール変性塩素化カルボキシル化ポリオレフィンを含んでなるインキ組成物。